(57)【要約】【課題】シンプルな構成で、安価に形成することができ、既設の門塀に簡単に取り付けたり取り替えたりして該門塀を装飾できる門塀装飾具を提供する。【解決手段】門塀装飾具１は、ワイヤーネットを曲げてなり、門塀１０の上端面１１又は側端面１２にあてがわれる端面部２と、門塀１０の外面１３にあてがわれる外面部３と、門塀１０の内面１４にあてがわれる内面部４とを含む。門塀装飾具１は、門塀１０の上端面の上方を装飾する波状部を含むものでもよい。【選択図】図１
0003192210.tif 000002
【実用新案登録請求の範囲】
【請求項１】
ワイヤーネットを曲げてなる門塀装飾具。
【請求項２】
門塀（１０）の上端面（１１）又は側端面（１２）にあてがわれる端面部（２）と、門塀（１０）の外面（１３）にあてがわれる外面部（３）と、門塀（１０）の内面（１４）にあてがわれる内面部（４）とを含む請求項１記載の門塀装飾具。
【請求項３】
門塀（１０）は門塀天板部（１６）を含み、門塀天板部（１６）は門塀（１０）の門塀一般部（１５）よりも外方及び内方に突出する外突出部（１７）及び内突出部（１８）を含むものであり、
端面部（２）は門塀天板部（１６）の上端面にあてがわれるものであり、外面部（３）は門塀天板部（１６）の外突出部（１７）の直下に入り込む外係止部（３ａ）を含み、内面部（４）は門塀天板部（１６）の内突出部（１８）の直下に入り込む内係止部（４ａ）を含み、
外面部（３）と内面部（４）とで門塀天板部（１６）を抱持する請求項２記載の門塀装飾具。
【請求項４】
外面部（３）は、外係止部（３ａ）の下方に装飾物（Ｄ）を設置するための装飾物設置部（３ｂ）を含む請求項３記載の門塀装飾具。
【請求項５】
門塀（１０）の側端面（１２）に当接する規制部（５）を含む請求項２又は３記載の門塀装飾具。
【請求項６】
外面部（３）と内面部（４）とで門塀（１０）を弾性的に挟持する請求項２記載の門塀装飾具。
【請求項７】
外面部（３）は先端縁（３ｃ）から基端へ向かう途中部（３ｄ）までの間で外方へ少なくとも１回湾曲して少なくとも１つの湾曲部（３ｅ）を形成しており、該先端縁（３ｃ）と該間における少なくとも１箇所とが門塀（１０）の外面（１３）に当接し、
内面部（４）は先端縁（４ｃ）が門塀（１０）の内面（１４）に当接する請求項６記載の門塀装飾具。
【請求項８】
門塀（１０）の上端面の上方を装飾する波状部（６）を含む請求項１記載の門塀装飾具。
【請求項９】
請求項１〜８のいずれか一項に記載の門塀装飾具（１）を取り付けた門塀。
【考案の詳細な説明】
【技術分野】
【０００１】
本考案は、門塀を装飾する門塀装飾具及びそれを取り付けた門塀に関するものである。
【背景技術】
【０００２】
門塀は、門回りの塀であり、コンクリートブロック、打設コンクリート、石、金属、木等の種々の材料により形成される。門塀には様々なデザインのものがあるが、個々の門塀についてみると単調なデザイン（例えば、ブロック積み調、レンガ調等のデザインが単調に連続するもの）がほとんどであり、面白味に欠けていた。そこで、門塀に装飾を加えた従来例も提案されている。
【０００３】
例えば、特許文献１には、鋳物、アルミニウム型材等にて形成した門塀本体の門形凹所に、木材、石材、金属、合成樹脂、ガラス等にて形成した化粧面板を嵌合してなる門塀パネルが記載されており、化粧面板により門塀に装飾を加えている。しかし、この門塀パネルは、高価であり、化粧面板を取り替えたり位置を変更したりすることが難しく、既設の門塀を装飾することができない。
【０００４】
また、特許文献２には、草花をモチーフとした形状の装飾部と、ポストを取り付けるポスト取付部と、壁面への躯体取付部とからなる機能パネルを、該躯体取付部において門塀に取り付けることが記載されており、草花モチーフの装飾部によって、既設の門塀を装飾することができる。しかし、この機能パネルは、門塀への取り付けが面倒であり、また、草花モチーフの装飾部を取り替えたり位置を変更したりすることが難しい。
【先行技術文献】
【特許文献】
【０００５】
【特許文献１】特開２００１−１７３２７６号公報
【特許文献２】特開２００８−１７９９９４号公報
【考案の概要】
【考案が解決しようとする課題】
【０００６】
そこで、本考案の目的は、シンプルな構成で、安価に形成することができ、既設の門塀に簡単に取り付けたり取り替えたりして該門塀を装飾できるようにすることにある。
【課題を解決するための手段】
【０００７】
上記課題を解決するため、本考案の門塀装飾具はワイヤーネットを曲げてなるものとした。
【０００８】
ここで、ワイヤーネットは、複数本の鋼製ワイヤーを格子状に並べ、互いの交差点を溶接により接合して形成されたネットである。格子のピッチとしては、特に限定されないが、２０〜６０ｍｍを例示できる。鋼製ワイヤーがステンレス鋼である場合は、ネットに樹脂被覆を施したものでも施していないものでもよい。鋼製ワイヤーがステンレス鋼でない場合は、防錆上、ネットに樹脂被覆を施したものが好ましい。
【０００９】
ワイヤーネットの曲げ方は、特に限定されず、門塀天板部を抱持するように曲げた態様、門塀を弾性的に挟持するように曲げた態様、波状に曲げた態様等を例示することができる。
【００１０】
門塀装飾具は、それ自体が門塀を装飾するものであるが、他の門塀装飾具を取り付けるための取付ベースとすることもできる。
【００１１】
本考案の門塀は、上記の門塀装飾具を取り付けたものとした。
【考案の効果】
【００１２】
本考案によれば、シンプルな構成で、安価に形成することができ、既設の門塀に簡単に取り付けたり取り替えたりして該門塀を装飾することができるという優れた効果を奏する。
【図面の簡単な説明】
【００１３】
【図１】実施例Ａ１，Ｂ１の門塀装飾具を取り付けた門塀の斜視図である。
【図２】（ａ）実施例Ａ１，Ｂ１の門塀装飾具の側面図、（ｂ）は実施例Ｂ１の門塀装飾具の平面図である。
【図３】実施例Ａ２，Ｂ２の門塀装飾具を取り付けた門塀の斜視図である。
【図４】（ａ）実施例Ａ２，Ｂ２の門塀装飾具の側面図、（ｂ）は実施例Ｂ２の門塀装飾具の平面図である。
【図５】実施例Ｂ１，Ｂ３，Ｂ４，Ｃ１，Ｃ２の門塀装飾具を取り付けた門塀の斜視図である。
【図６】実施例Ｂ１，Ｂ３，Ｂ４の門塀装飾具を取り付けた門塀の正面図である。
【考案を実施するための形態】
【００１４】
門塀装飾具は、ワイヤーネットを曲げてなるものであり、門塀の上端面又は側端面にあてがわれる端面部と、門塀の外面にあてがわれる外面部と、門塀の内面にあてがわれる内面部とを含むものが好ましい。さらに、次の形態を例示できる。
（Ａ）門塀は門塀天板部を含み、門塀天板部は門塀の門塀一般部位よりも外方に突出する外突出部と内方に突出する内突出部とを含むものであり、
端面部は門塀天板部の上端面にあてがわれ、外面部は門塀天板部の外突出部の直下に入り込む外係止部を含み、内面部は門塀天板部の内突出部の直下に入り込む内係止部を含み、外面部と内面部とで門塀天板部を抱持する形態。
【００１５】
ここで、外面部は、外係止部の下に装飾物を設置するための装飾物設置部を含んでもよい。
【００１６】
また、門塀の側端面に当接する規制部を含んでもよい。
【００１７】
（Ｂ）外面部と内面部とで門塀を弾性的に挟持する形態。
【００１８】
ここで、外面部は先端縁から基端へ向かう途中部までの間で外方へ少なくとも１回湾曲して少なくとも１つの湾曲部を形成しており、該先端縁と該間における少なくとも１箇所とが門塀の外面に当接し、内面部は先端縁が門塀の内面に当接するように構成することができる。
【００１９】
（Ｃ）門塀の上端面の上方を装飾する波状部を含む態様。
【実施例】
【００２０】
図１〜図６を参照して、門塀１０の上端部に取り付けられる実施例Ａ１，Ａ２の門塀装飾具と、門塀１０の側端部に取り付けられる実施例Ｂ１〜Ｂ４の門塀装飾具と、門塀１０の上に取り付けられる実施例Ｃ１，Ｃ２の門塀装飾具について説明する。
【００２１】
図示例の既設の門塀１０は、門塀一般部１５とその上の門塀天板部１６とからなる。門塀天板部１６は、門塀一般部１５よりも外方に突出する外突出部１７と、内方に突出する内突出部１８とを含む。門塀１０の上端面１１は、門塀天板部１６のみで構成されるが、門塀１０の側端面１２、外面１３及び内面１４は、門塀一般部１５と門塀天板部１６とで構成される。左右の門塀１０の間には、門扉２０が蝶番２１により取り付けられている。
【００２２】
いずれの門塀装飾具１も、ワイヤーネットを曲げてなるものである。ワイヤーネットは、例えば、格子のピッチが３０〜５０ｍｍであり、樹脂被覆を施したものである。実施例Ａ１，Ａ２，Ｂ１〜Ｂ４の門塀装飾具はいずれも、門塀１０の上端面１１又は側端面１２にあてがわれる端面部２と、門塀１０の外面１３にあてがわれる外面部３と、門塀１０の内面１４にあてがわれる内面部４とを含む。
【００２３】
図１及び図２（ａ）に示す実施例Ａ１の門塀装飾具１は、端面部２が門塀１０の上端面１１にあてがわれるものである。また、外面部３が門塀天板部１６の外突出部１７の直下に入り込む外係止部３ａを含み、内面部４が門塀天板部１６の内突出部１８の直下に入り込む内係止部４ａを含み、外面部３と内面部４とで門塀天板部１６を抱持するものである。さらに、外面部３は、外係止部３ａの下に外方へ曲げられてなる、装飾物Ｄを設置するための装飾物設置部３ｂを含んでいる。
【００２４】
この門塀装飾具１は、門塀天板部１６の端から差し入れることにより既設の門塀１０に簡単に取り付けることができ、門塀１０を装飾することができる。また、この門塀装飾具１は、門塀天板部１６に沿って左右にスライドさせることによりその位置を簡単に変更することもできる。さらに、装飾物設置部３ｂに、任意の装飾物Ｄ（例えば図１に示すような人形）を設置して装飾することもできる。さらに、門塀装飾具１は、他の門塀装飾具の取付ベースとすることもできる。
【００２５】
図３及び図４に示す実施例Ａ２の門塀装飾具１は、装飾物設置部３ｂを含まない点と、門塀１０の側端面１２に当接して門塀装飾具１のスライドを規制する規制部５を含む点において、実施例Ａ１と相違するものであり、その他は実施例Ａ１と共通である。規制部５は、端面部２の側端から下方へ曲げられて形成されている。
【００２６】
この門塀装飾具１も、門塀天板部１６の端から差し入れることにより既設の門塀１０に簡単に取り付けることができ、門塀１０を装飾することができる。また、差し入れて規制部５が門塀１０の側端面１２に当接すると、門塀装飾具１がそれ以上スライドするのを規制するので、門塀装飾具１のずれを防止したい場合に適している。
【００２７】
図１及び図２に示す実施例Ｂ１の門塀装飾具１は、端面部２が門塀１０の側端面１２にあてがわれ、外面部３と内面部４とで門塀一般部１５を弾性的に挟持するものである。外面部３は、先端縁３ｃから基端へ向かう途中部３ｄまでの間で外方へ１回湾曲して１つの湾曲部３ｅを形成しており、該先端縁３ｃと途中部３ｄとが門塀１０の外面１３に弾性的に当接する。内面部４は、先端縁４ｃが門塀１０の内面１４に弾性的に当接する。
【００２８】
つまり、外面部３の基端部と内面部４の基端部との間隔は、門塀一般部１５の厚さよりも大きいが、先端縁３ｃと先端縁４ｃとの間隔は、門塀１０への取付前においては門塀一般部１５の厚さよりも小さく形成されており、この間隔を弾性的に広げて門塀一般部１５に差し入れることにより、上記の弾性的挟持が生じるようになっている。また、特に外面部３は、互いに離間した複数箇所が外面１３に弾性的に当接するので、門塀一般部１５をしっかりと挟持することができる。
【００２９】
この門塀装飾具１は、門塀１０の側端から差し入れることにより既設の門塀１０に簡単に取り付けることができ、門塀１０を装飾することができる。また、門塀１０の側端部に沿って上下にスライドさせることによりその位置を簡単に変更することもできる。
【００３０】
図３及び図４に示す実施例Ｂ２の門塀装飾具１は、外面部３が、先端縁３ｃから基端へ向かう途中部３ｄまでの間で外方へ２回湾曲して２つの湾曲部３ｅを形成しており、該先端縁３ｃと途中部３ｄと湾曲間部３ｆとが門塀１０の外面１３に弾性的に当接する点において、実施例Ｂ１と相違するものであり、その他は実施例Ｂ１と共通である。
【００３１】
図５及び図６に示す実施例Ｂ３，Ｂ４の門塀装飾具１は、実施例Ｂ１の上方及び下方に並ぶように門塀１０の側端部に取り付けられるものであり、外面部３は湾曲部がなく先端縁３ｃのみが門塀１０の外面１３に弾性的に当接する点において、実施例Ｂ１と相違するものであり、その他は実施例Ｂ１と共通である。
【００３２】
このように、複数の実施例Ｂ１，Ｂ３，Ｂ４の門塀装飾具１により門塀１０の側端部を装飾することにより、図６に表れるように門塀１０を門扉２０との連続性のあるデザインにすることができ、門回りの見栄えを豪華にすることができる。
【００３３】
図５に示す実施例Ｃ１の門塀装飾具１は、門塀１０の上端面の上方を装飾する波状部６と、門塀１０の側端面にあてがわれる側端部７とを含むものである。また、実施例Ｃ２の門塀装飾具１は、門塀１０の上端面の上方を装飾する波状部６と、門塀１０の他方の側端面にあてがわれる側端部７とを含むものである。そして、両者の側端部７が門塀１０の両方の側端面に当接するように両者の門塀装飾具１，１の位置関係を調節してから、両者の門塀装飾具１，１をワイヤ、結束バンド等の接合部材８で接合することにより、両門塀装飾具１，１を門塀１０に取り付けることができ、門塀１０を装飾することができる。
【００３４】
なお、本考案は前記実施例に限定されるものではなく、考案の趣旨から逸脱しない範囲で適宜変更して具体化することができる。
【符号の説明】
【００３５】
１    門塀装飾具
２    端面部
３    外面部
３ａ  外係止部
３ｂ  装飾物設置部
３ｃ  先端縁
３ｄ  途中部
３ｅ  湾曲部
３ｆ  湾曲間部
４    内面部
４ａ  内係止部
４ｃ  先端縁
５    規制部
６    波状部
７    側端部
８    接合部材
１０    門塀
１１    上端面
１２    側端面
１３    外面
１４    内面
１５    門塀一般部
１６    門塀天板部
１７    外突出部
１８    内突出部
２０    門扉
２１    蝶番
Ｄ    装飾物
【図１】
0003192210.tif 000003
【図２】
0003192210.tif 000004
【図３】
0003192210.tif 000005
【図４】
0003192210.tif 000006
【図５】
0003192210.tif 000007
【図６】
0003192210.tif 000008